【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
第１の撮像手段と、第２の撮像手段と、を有する撮像装置であって、
撮影モードを設定する撮影モード設定手段と、
前記撮影モード設定手段により設定された撮影モードに応じて、前記第１の撮像手段により撮影された第１の画像に対する前記第２の撮像手段により撮影された第２の画像の合成位置及び合成サイズを決定する決定手段と、
前記第１の画像に、前記第２の画像を合成する合成手段と
を有することを特徴とする撮像装置。
【請求項２】
前記合成手段は、第１の撮影モードにおいて前記第１の撮像手段により撮影された第１の静止画に、前記第１の撮影モードにおいて前記第２の撮像手段により撮影された第２の静止画を合成して第１の合成静止画を生成し、
第２の撮影モードにおいて前記第１の撮像手段により撮影された第１の動画に、前記第２の撮影モードにおいて前記第２の撮像手段により撮影された第２の動画を合成して第２の合成動画を生成し、
前記決定手段は、前記第１の合成静止画及び前記第２の合成動画の表示時の、前記第１の合成静止画に対する前記第２の静止画の表示位置及び表示サイズが前記第２の合成動画に対する前記第２の動画の表示位置及び表示サイズと等しくなるような前記合成位置及び前記合成サイズを決定することを特徴とする請求項１に記載の撮像装置。
【請求項３】
記録媒体に記録されている複数の画像を、連続的に再生表示するための連続再生手段と、
前記合成手段により合成された、前記第１の合成静止画と前記第２の合成動画とを記録媒体に記録する記録手段と
をさらに有し、
前記連続再生手段は、前記第１の合成静止画と前記第２の合成動画とを異なる表示サイズで再生表示することを特徴とする請求項２に記載の撮像装置。
【請求項４】
記録指示に応じて、前記合成手段により合成された画像を記録媒体に記録するように制御する記録制御手段と、
前記記録媒体に記録されている複数の画像を、所定の表示領域において連続的に再生表示するための連続再生手段と、をさらに有し、
前記合成手段は、第１の撮影モードにおいて前記第１の撮像手段により撮影された第１の静止画に、前記第１の撮影モードにおいて前記第２の撮像手段により撮影された第２の静止画を合成して第１の合成静止画を生成し、第２の撮影モードにおいて前記第１の撮像手段により撮影された第１の動画に、前記第２の撮影モードにおいて前記第２の撮像手段により撮影された第２の動画を合成して第２の合成動画を生成し、
前記連続再生手段は、前記第１の撮影モードで記録した前記合成静止画と前記第２の撮影モードで記録した前記合成動画とを異なるサイズで再生表示し、
前記決定手段は、前記連続再生手段によって複数の画像を再生表示する場合に前記第１の撮影モードで記録した合成静止画に合成されている前記第２の撮像手段により撮影された静止画と、前記合成動画に合成されている前記第２の撮像手段により撮影された動画とが、同じ表示位置及び表示サイズで再生表示されるような合成位置及び合成サイズとなるように、前記第１の合成静止画に対する前記第２の撮像手段により撮影された第２の画像の合成位置及び合成サイズを決定することを特徴とする請求項１に記載の撮像装置。
【請求項５】
第１の撮像手段と、第２の撮像手段と、を有する撮像装置であって、
前記第１の撮像手段により撮影された第１のライブ画像に、前記第２の撮像手段により撮影された第２のライブ画像を重畳して、表示手段に表示するように制御する表示制御手段と、
撮影モードを設定する撮影モード設定手段と
を有し、
前記表示制御手段は、前記撮影モード毎に異なる、前記第１のライブ画像の表示位置及び表示サイズで前記第２のライブ画像を重畳して表示するよう制御することを特徴する撮像装置。
【請求項６】
前記撮影モード設定手段は、第１の撮影モード及び第２の撮影モードに設定可能であり、
前記表示制御手段は、前記第１のライブ画像を前記第１の撮影モードと前記第２の撮影モードとで同じ表示位置及び表示サイズで表示させ、前記第２のライブ画像を前記第１の撮影モードと前記第２の撮影モードとで異なる表示位置及び表示サイズで表示させることを特徴とする請求項５に記載の撮像装置。
【請求項７】
記録指示に応じて、前記第１の撮像手段により撮影された画像を記録媒体に記録するように制御する記録制御手段をさらに有し、
前記記録制御手段は、第１の撮影モードに設定されている場合には、前記記録指示に応じて、前記第１の撮像手段により撮影された静止画に前記第２の撮像手段により撮影された静止画を合成した合成静止画を前記記録媒体に記録するように制御し、第２の撮影モードに設定されている場合には、前記記録指示に応じて、前記第１の撮像手段により撮影された静止画を前記記録媒体に記録するとともに、前記第１の撮像手段により撮影された動画に前記第２の撮像手段により撮影された動画を合成した合成動画を前記記録媒体に記録するように制御することを特徴とする請求項５又は６に記載の撮像装置。
【請求項８】
前記記録制御手段は、前記第２の撮影モードでは、前記合成動画を、前記静止画と異なるアスペクト比で記録することを特徴とする請求項７に記載の撮像装置。
【請求項９】
前記記録媒体に記録されている複数の画像を、所定の表示領域において連続的に再生表示するための連続再生手段をさらに有し、
前記連続再生手段は、前記第１の撮影モードで記録した前記合成静止画と前記第２の撮影モードで記録した前記合成動画とを異なるサイズで再生表示し、
前記記録制御手段は、前記連続再生手段によって複数の画像を再生表示する場合に前記第１の撮影モードで記録した合成静止画に合成されている前記第２の撮像手段により撮影された静止画と、前記合成動画に合成されている前記第２の撮像手段により撮影された動画とが、同じ表示位置及び表示サイズで再生表示されるような合成位置及び合成サイズで、前記合成静止画における前記第２の撮像手段により撮影された静止画、及び、前記合成動画における前記第２の撮像手段により撮影された動画を合成して前記記録媒体に記録するように制御することを特徴とする請求項７又は８に記載の撮像装置。
【請求項１０】
前記連続再生手段は、静止画については、前記所定の表示領域内において、画像の周囲に所定の領域が形成されるように静止画を縮小して再生することを特徴とする請求項９に記載の撮像装置。
【請求項１１】
前記連続再生手段は、前記動画については、当該動画が、前記所定の表示領域に内接するように再生することを特徴とする請求項１０に記載の撮像装置。
【請求項１２】
前記表示制御手段は、前記記録媒体に記録される前記合成静止画又は前記合成動画に対応する合成位置及び合成サイズで、前記第２の撮像手段により撮影されたライブ画像を合成して表示することを特徴とする請求項７乃至１１何れか１項に記載の撮像装置。
【請求項１３】
第１の撮像手段と、第２の撮像手段と、を有する撮像装置が実行する情報処理方法であって、
撮影モードを設定する撮影モード設定ステップと、
前記モード設定ステップにおいて設定された撮影モードに応じて、前記第１の撮像手段により撮影された第１の画像に対する前記第２の撮像手段により撮影された第２の画像の合成位置及び合成サイズを決定する決定ステップと、
前記第１の画像に、前記第２の画像を合成する合成ステップと
を含むことを特徴とする情報処理方法。
【請求項１４】
第１の撮像手段と、第２の撮像手段と、を有する撮像装置が実行する情報処理方法であって、
前記第１の撮像手段により撮影された第１のライブ画像に、前記第２の撮像手段により撮影された第２のライブ画像を重畳して、表示手段に表示するように制御する表示制御ステップと、
撮影モードを設定する撮影モード設定ステップと
を含み、
前記表示制御ステップでは、前記撮影モード毎に異なる、前記第１のライブ画像の表示位置及び表示サイズで前記第２のライブ画像を重畳して表示するよう制御することを特徴する情報処理方法。
【請求項１５】
コンピュータを、
撮影モードを設定する撮影モード設定手段と、
前記モード設定手段により設定された撮影モードに応じて、第１の撮像手段により撮影された第１の画像に対する第２の撮像手段により撮影された第２の画像の合成位置及び合成サイズを決定する決定手段と、
前記第１の画像に、前記第２の画像を合成する合成手段と
して機能させるためのプログラム。
【請求項１６】
コンピュータを、
第１の撮像手段により撮影された第１のライブ画像に、第２の撮像手段により撮影された第２のライブ画像を重畳して、表示手段に表示するように制御する表示制御手段と、
撮影モードを設定する撮影モード設定手段と
して機能させ、
前記表示制御手段は、前記撮影モード毎に異なる、前記第１のライブ画像の表示位置及び表示サイズで前記第２のライブ画像を重畳して表示するよう制御するプログラム。